(57)【要約】  【課題】滑走者に対して、氷雪滑走体の滑走面に対してワックスを塗布する手間を軽減させ、かつ、氷雪滑走体にワックスが十分に残存する状態を長期間にすることができる、ワックス含侵用部材付き氷雪滑走体の製造方法及びワックス含侵用部材を提供する。  【解決手段】上記課題を解決するため、スキー板及びスノーボードを含む氷雪滑走体１１の裏面に対して、気孔が連通化されている連続気孔多孔質体であるシート状のワックス含侵用部材１２を、貼着する貼着工程、を含む、ワックス含侵用部材付き氷雪滑走体１の製造方法。【選択図】図１
2019107360.tif 000002
【特許請求の範囲】
【請求項１】
スキー板及びスノーボードを含む氷雪滑走体の裏面に対して、
気孔が連通化されている連続気孔多孔質体であるシート状のワックス含侵用部材を、貼着する貼着工程、を含む、
ワックス含侵用部材付き氷雪滑走体の製造方法。
【請求項２】
前記ワックス含侵用部材は、ポリエチレンを主成分とする、
ことを特徴とする請求項１に記載のワックス含侵用部材付き氷雪滑走体の製造方法。
【請求項３】
前記ワックス含侵用部材は、焼結連続気孔多孔質体である、
ことを特徴とする請求項１又は２に記載のワックス含侵用部材付き氷雪滑走体の製造方法。
【請求項４】
前記ワックス含侵用部材は、脱塩法連続気孔多孔質体である、
ことを特徴とする請求項１又は２に記載のワックス含侵用部材付き氷雪滑走体の製造方法。
【請求項５】
前記ワックス含侵用部材の表面に対して、溶かしたワックスを、アイロンなどを用いて加熱しながら塗布することで、前記ワックスを前記ワックス含侵用部材に含侵させるワックス含侵工程を更に含む、
ことを特徴とする請求項１から４の何れかに記載のワックス含侵用部材付き氷雪滑走体の製造方法。
【請求項６】
気孔が連通化されているシート状の連続気孔多孔質体であり、スキー板及びスノーボードを含む氷雪滑走体の裏面に対して貼着するためのワックス含侵用部材。
【発明の詳細な説明】
【技術分野】
【０００１】
本発明は、ワックスが十分に残存する状態を長期間にすることができる、ワックス含侵用部材付き氷雪滑走体の製造方法及びワックス含侵用部材に関する。
【背景技術】
【０００２】
従来、スキー板やスノーボード等の氷雪滑走体の滑走面に対して、４０℃から１３０℃でほぼ液状になるワックス（潤滑材）を、特許文献１で示すようなスキー用アイロンを用いて溶かしながら塗布する手入れを行う。この手入れによって、氷雪滑走体の滑走面における摩擦抵抗を低減させて、氷雪滑走体が雪面を滑る速度を大きくすることができる。
【先行技術文献】
【特許文献】
【０００３】
【特許文献１】特許第３０５８０１４号公報
【発明の概要】
【発明が解決しようとする課題】
【０００４】
しかしながら、上述したような氷雪滑走体の滑走面に対してアイロンを用いてワックスを塗布する手入れは、数時間程度の時間を要するため、大変に手間であった。また、滑走頻度や雪の状態により、滑走面に塗布されたワックスが十分に残存せず、氷雪滑走体が雪面を滑走する速度が小さくなってしまう場合があった。
【０００５】
そこで、本発明の課題は、滑走者に対して、氷雪滑走体の滑走面に対してワックスを塗布する手間を軽減させ、かつ、氷雪滑走体にワックスが十分に残存する状態を長期間にすることができる、ワックス含侵用部材付き氷雪滑走体の製造方法及びワックス含侵用部材を提供することである。
【課題を解決するための手段】
【０００６】
（１）上記課題を解決するために、本発明に係るワックス含侵用部材付き氷雪滑走体の製造方法は、スキー板及びスノーボードを含む氷雪滑走体の裏面に対して、気孔が連通化されている連続気孔多孔質体であるシート状のワックス含侵用部材を、貼着する貼着工程、を含む。
【０００７】
上記本発明の構成によれば、氷雪滑走体の裏面に対してワックス含侵用部材が貼着される。このワックス含侵用部材は、連続気孔多孔質体である。このため、ワックス含侵用部材に対してワックスが塗布されると、気孔にワックスが充填される。これによって、氷雪滑走体が雪面を滑走する際に、ワックス含侵用部材の滑走面と雪面との摩擦で発生する熱で、気孔内のワックスが溶融されていき、ワックスが液状となり、この液状のワックスによってワックス含侵用部材の滑走面の摩擦抵抗が低減され、氷雪滑走体の滑走の速度を大きくすることが出来る。この様に、気孔にワックスを充填するため、氷雪滑走体の裏面に直接ワックスを塗布するよりも、多量のワックスを滑走面部分に含侵することができ、長期間に渡って滑走面の摩擦抵抗を低減することができる。特に、ワックス含侵用部材は、気孔が連通化されている連続気孔多孔質体であるため、氷雪滑走体側にある気孔が滑走面側に開口する気孔に連通しており、これによって、氷雪滑走体側の気孔までワックスを十分に充填することができる。このため、ワックス含侵用部材の気孔におけるワックスの非充填部分（空隙部分）が少なくなり、より多量のワックスを氷雪滑走体に充填することができる。このため、長期間、氷雪滑走体にワックスが十分に残存する状態を維持することができる。従って、氷雪滑走体にワックスが十分に残存する状態を最長で数年単位の長期間にすることができ、この様な長期間にわたって、氷雪滑走体が雪面を滑走する速度を大きくすることができる。したがって氷雪滑走体の滑走面に対してワックスを塗布する手間を軽減させることができる。
【０００８】
（２）上記ワックス含侵用部材付き氷雪滑走体の製造方法において、前記ワックス含侵用部材は、ポリエチレンを主成分とすることを特徴とする。
【０００９】
上記本発明の構成によれば、ワックス含侵用部材は、例えば、摩擦係数が低い且つ耐寒性が良好（低温特性が良好）なポリエチレン製シートが使用されている。より好ましくは、ワックス含侵用部材１２には、プラスチック材料の中では最も摩擦係数が低い、超高分子量ポリエチレンを用いることである。
【００１０】
（３）上記ワックス含侵用部材付き氷雪滑走体の製造方法において、前記ワックス含侵用部材は、焼結連続気孔多孔質体などの連続気孔多孔質体であってもよい。
【００１１】
上記本発明の構成によれば、連続気孔多孔質体の中では安価である、焼結連続気孔多孔質体をワックス含侵用部材として使用するため、製造コストを低減することができる。
【００１２】
（４）上記本発明の構成によれば、上記ワックス含侵用部材は、脱塩法連続気孔多孔質体であってもよい。脱塩法連続気孔多孔質体は、例えば、気孔形成材を高分子物質に分散させてなる成形材料を成形する成型工程と、前記成形材料を、前記高分子物質は溶解しないが前記気孔形成材は溶解する溶媒で洗浄することにより前記気孔を形成する気孔形成工程と、を含む、脱塩法による形成工程によって製造される連続気孔多孔質体である。なお、気孔形成材は常温で固体であることが好ましい。また、成型工程において、気孔形成材の少なくとも一部が溶融する温度で成形材料を成形することが、好適な連続気孔を形成するという観点から好ましい。
【００１３】
上記本発明の構成によれば、ワックス含侵用部材を柔軟に成形することができるため、氷雪滑走体が雪面を滑走する際に撓むが、この撓みに合わせてワックス含侵用部材を撓ませることができる。このため、氷雪滑走体の撓みによって、ワックス含侵用部材が割れることを防止することができる。
【００１４】
（５）上記ワックス含侵用部材付き氷雪滑走体の製造方法において、前記ワックス含侵用部材の表面に対して、溶かしたワックスを、アイロンなどを用いて加熱しながら塗布することで、前記ワックスを前記ワックス含侵用部材に含侵させるワックス含侵工程を更に含む。
【００１５】
上記本発明の構成によれば、ワックス含侵用部材の表面に対して、溶かしたワックスが、アイロンなどを用いて加熱しながら塗布されるため、ワックス含侵用部材において、ワックスを、表面側に位置する気孔を通って、氷雪滑走体側に位置する気孔まで溶かしながら押し入れて、ワックス含侵用部材に十分にワックスを充填させることができる。
【００１６】
（６）上記課題を解決するために、本発明に係るワックス含侵用部材は、気孔が連通化されているシート状の連続気孔多孔質体であり、スキー板及びスノーボードを含む氷雪滑走体の裏面に対して貼着するためのものである。
【００１７】
上記本発明の構成によれば、氷雪滑走体の裏面に対して貼着されることで、上記（１）の発明と同様の作用効果を奏する。
【発明の効果】
【００１８】
上記構成によれば、滑走者に対して、氷雪滑走体の滑走面に対してワックスを塗布する手間を軽減させ、かつ、氷雪滑走体にワックスが十分に残存する状態を長期間にすることができる、ワックス含侵用部材付き氷雪滑走体の製造方法及びワックス含侵用部材を提供することができる。
【図面の簡単な説明】
【００１９】
【図１】本実施形態に係るワックス含侵用部材付き氷雪滑走体の製造方法によって製造された、ワックス含侵用部材付き氷雪滑走体の断面図である。
【図２】ワックス含侵用部材付き氷雪滑走体の製造方法に含まれる各工程を示す図である。
【図３】ワックス含侵用部材における気孔の状態を示す図である。
【発明を実施するための形態】
【００２０】
（ワックス含侵用部材付き氷雪滑走体の構成）
以下に、図１を用いて、本実施形態に係る、ワックス含侵用部材付き氷雪滑走体の製造方法によって製造された、ワックス含侵用部材付き氷雪滑走体の構成を説明する。図１は、本実施形態に係る、ワックス含侵用部材付き氷雪滑走体の製造方法によって製造された、ワックス含侵用部材付き氷雪滑走体の断面図である。
【００２１】
ワックス含侵用部材付き氷雪滑走体１は、氷雪の上を滑走する氷雪滑走体１１の裏面（図１における下側の面）に対して、気孔が連通化されている連続気孔多孔質体（ソール材）であるシート状のワックス含侵用部材１２が貼着されてなる。氷雪滑走体１１は、氷雪の上を滑走するものであり、例えば、上に人等の荷を乗せて氷雪の上を滑走するスキー、スノーボード、そり等の板状体を含む。氷雪滑走体１１は、例えば、芯材（コア）１１１の上面に亘ってトップシート１１２が取り付けられ、かつ、芯材（コア）１１１の側面に亘ってサイドウォール１１３が取り付けられている。
【００２２】
上記本発明の構成によれば、氷雪滑走体１１の裏面に対して連続気孔多孔質体であるワックス含侵用部材１２が貼着される。本実施形態では、上記サイドウォール１１３の下部に、段が設けられたエッジ１１４が取り付けられ、このエッジ１１２の段と芯材（コア）１１１の下面とにワックス含侵用部材１２が取り付けられている。なお、本実施形態では、エッジ１１３の段部分と芯材（コア）１１１の下面とが、氷雪滑走体１１の裏面になる。このワックス含侵用部材１２は、連続気孔多孔質体であるため、ワックス含侵用部材１２に対してワックスが塗布されると、気孔にワックスが充填される。これによって、氷雪滑走体１１が雪面を滑走する際に、ワックス含侵用部材１２の滑走面と雪面との摩擦で発生する熱で、気孔内のワックスが溶融されていき、液状となったワックスによってワックス含侵用部材１２の滑走面の摩擦抵抗が低減され、ワックス含侵用部材付き氷雪滑走体１の滑走の速度を大きくすることが出来る。この様に、気孔にワックスを充填するため、多量のワックスを滑走面部分に含侵することができ、長期間に渡って滑走面の摩擦抵抗を低減することができる。特に、ワックス含侵用部材１２は、気孔が連通化されている連続気孔多孔質体であるため、氷雪滑走体１１側（図１の上側）にある気孔が滑走面側（図１の下側）に開口する気孔に連通しており、これによって、氷雪滑走体１１側の気孔までワックスを十分に充填することができる。このため、ワックス含侵用部材１２の気孔におけるワックスの非充填部分（空隙部分）が少なくなり、より多量のワックスを氷雪滑走体１２に充填することができる。このため、長期間、氷雪滑走体１２にワックスが十分に残存する状態を維持することができる。従って、ワックス含侵用部材付き氷雪滑走体１にワックスが十分に残存する状態を最長で数年単位の長期間にすることができ、この様な長期間にわたって、ワックス含侵用部材付き氷雪滑走体１が雪面を滑走する速度を大きくすることができる。また、滑走頻度や状態にもよるが、スキーシーズン毎にワックスを含侵・塗布する手入れを行う必要がなくなり、滑走者に対して、ワックス含侵用部材付き氷雪滑走体１の滑走面に対してワックスを塗布する手間を軽減させることができる。
【００２３】
氷雪滑走体１１は、木材や金属その他合成樹脂製の部材である。ワックス含浸用部材１２は、樹脂製粉体を焼結させて形成した連続気孔多孔質体または、脱塩法連続気孔多孔質体である。また、ワックス含侵用部材１２は、例えば、摩擦係数が低い且つ耐寒性が良好（低温特性が良好）な樹脂製シートが使用されている。より好ましくは、ワックス含侵用部材１２には、プラスチック材料の中では最も摩擦係数が低い、超高分子量ポリエチレンを用いることが好ましい。
【００２４】
なお、ワックス含侵用部材１２は、必ずしも、ポリエチレンを主成分として形成されている必要はなく、例えば、エラストマー等を材料として形成されていてもよい。
【００２５】
ワックス含侵用部材１２の気孔率は、２０％以上であり、９０％未満である。より好ましくは、ワックス含侵用部材１２が焼結連続気孔多孔質体である場合には、ワックス含侵用部材１２の気孔率は、２０％以上であり、５０％未満である。また、ワックス含侵用部材１２が後述の脱塩法で製造される場合には、ワックス含侵用部材１２の気孔率は、５０％以上であり、９０％未満である。
【００２６】
（本実施に係るワックス含侵用部材付き氷雪滑走体の製造方法）
以下に、図２及び図３を用いて、ワックス含侵用部材付き氷雪滑走体１の製造方法を説明する。図２は、ワックス含侵用部材付き氷雪滑走体の製造方法に含まれる、各工程を示す図である。図３は、ワックス含侵用部材における気孔の状態を示す図である。
【００２７】
まず、ワックス含侵用部材１２を形成する形成工程Ｓ１が行われる。ワックス含侵用部材１２は、上述したように、気孔が連通化されているシート状の連続気孔多孔質体であり、スキー板及びスノーボードを含む氷雪滑走体の裏面に対して貼着するための部材である。本実施形態では、上述したように、ワックス含侵用部材１２は連続気孔多孔質体である。このため、形成工程１では、樹脂製の粉末を加熱しながら加圧することで焼結させて、連続気孔多孔質体であるワックス含侵用部材１２が形成される。
【００２８】
なお、本実施形態では、ワックス含侵用部材１２は、気孔が連通するように形成された連続気孔多孔質体であればよい。例えば、ワックス含侵用部材１２は、脱塩法連続気孔多孔質体であってもよい。脱塩法連続気孔多孔質体は、例えば、次の脱塩法による形成工程で形成された連続気孔多孔質体である。この脱塩法による形成工程は、気孔形成材を高分子物質に分散させてなる成形材料を成形する成型工程と、前記成形材料を、前記高分子物質は溶解しないが前記気孔形成材は溶解する溶媒で洗浄することにより前記気孔を形成する気孔形成工程と、を含む。なお、気孔形成材は常温で固体であることが好ましい。また、成型工程において、気孔形成材の少なくとも一部が溶融する温度で成形材料を成形することが、好適な連続気孔を形成するという観点から好ましい。
【００２９】
次に、スキー板及びスノーボードを含む氷雪滑走体１１の裏面に対して、気孔が連通化されている連続気孔多孔質体であるシート状のワックス含侵用部材１２を、貼着する貼着工程Ｓ２が行われる。氷雪滑走体１１の裏面とワックス含侵用部材１２の上面（図１の下側の面）とは、接着剤によって貼着される。もっとも、接着面を溶着してもよい。
【００３０】
次に、ワックス含侵工程Ｓ３が行われる。ワックス含侵用部材１２の表面（氷雪滑走体１１と貼着される面の反対側の面、図１における下側の面つまり雪面に接する面）に対して、溶かしたワックスを、アイロン（スキー用アイロン）などを用いて加熱しながら塗布することで、ワックスをワックス含侵用部材に含侵させるワックス含侵工程を更に含む。ここで使用されるワックスは、例えば、パラフィンを主成分とした４０℃から１３０℃が融点である潤滑材である。ワックスは、フッ素を含む場合もある。なお、ワックスの材料は、パラフィンを主成分としたものに限定されない。ここで、アイロンの温度設定を１００℃から１３０℃程度とすることが好ましい。この理由は、ワックス含侵用部材１２が、超高分子量ポリエチレンで形成されている場合には、融点が１３５℃であるため、１３０℃よりも低く、かつワックスが液状になる温度に設定されることが好ましいからである。
【００３１】
ワックス含侵用部材１２が焼結連続気孔多孔質体である場合には、ワックス含侵用部材１２における気孔の状態は、図３（Ａ）で示すようなものとなる。ワックス含侵用部材１２が脱塩法によって製造されている場合には、ワックス含侵用部材１２における気孔の状態は、図３（Ｂ）で示すようなものとなる。何れの場合でも、ワックス含侵用部材１２において、複数の気孔が連通されている。従って、ワックス含侵工程Ｓ３において、ワックス含侵用部材１２の表面に対して、溶かしたワックスが、アイロンを用いて加熱しながら塗布されることで、ワックスを、ワックス含侵用部材１２の表面側に位置する気孔を通って、氷雪滑走体１１側に位置する気孔まで溶かしながら押し入れて、ワックス含侵用部材１２に十分にワックスを充填させることができる。
【００３２】
上述したワックス含侵用部材付き氷雪滑走体１の製造方法には、形成工程Ｓ１、貼着工程Ｓ２、及び含侵工程Ｓ３を含むが、必ずしも全ての工程を含まなくてもよい。例えば、形成工程Ｓ１を行わず、ワックス含侵用部材１２を購入等により取得してもよい。また、含侵工程Ｓ３を行わず、ワックスを含侵しない状態のワックス含侵用部材付き氷雪滑走体１を出荷して、販売店舗や滑走者（スキーヤーやスノーボーダー等）がワックス含侵工程Ｓ３を行ってもよい。すなわち、ワックス含侵用部材付き氷雪滑走体１の製造方法には、貼着工程Ｓ２のみ含まれていてもよい。また、ワックス含侵用部材付き氷雪滑走体１の製造方法は、他の工程を含んでいてもよい。
【００３３】
（雪面滑走の際のワックス含侵用部材におけるワックス液化）
ワックス含侵用部材付き氷雪滑走体１が雪面を滑走する際における、ワックス液化について説明する。ワックス含侵用部材付き氷雪滑走体１が雪面を滑走すると、ワックス含侵用部材１２の下面（雪面との接触面）に摩擦熱が発生する。この摩擦熱により、ワックス含侵用部材１２における気孔内のワックスが液化する。これによって、ワックス含侵用部材１２の下面における摩擦が低減されて、ワックス含侵用部材付き氷雪滑走体１の滑走の速度が大きくなる。
【符号の説明】
【００３４】
１                  ワックス含侵用部材付き氷雪滑走体
１１                氷雪滑走体
１２                ワックス含侵用部材
【図１】
2019107360.tif 000003
【図２】
2019107360.tif 000004
【図３】
2019107360.tif 000005